(57)【特許請求の範囲】
【請求項１】
モータで駆動される送りねじにより押し子を押圧し液体を送出する輸液装置のための動力伝達装置であって、上記送りねじとモータ出力軸とを同軸状に連結せしめる連結具と、この連結具の上記モータ出力軸側の端面に形成したカム面と、このカム面に対接されるよう上記モータ出力軸の外周面から半径方向外方に突出せしめた軸と、上記連結具の、上記送りねじ側の端面に形成した軸方向に延びる切り溝と、この切り溝内に嵌入するよう上記送りねじの外周面から半径方向外方に突出せしめた軸と、上記カム面を上記モータ出力軸から突出する軸に係合するよう抑制する弾性手段とより成り、上記カム面が、上記モータ出力軸から突出する軸が嵌入する凹部と、この凹部の正回転方向側面によって上記連結具に形成される正回転伝達用垂直面と、上記凹部の底面から上記連結具の端面に向って逆回転方向に延びる傾斜面とより成ることを特徴とする輸液装置における動力伝達装置。
【請求項２】
モータで駆動される送りねじにより押し子を押圧し液体を送出する輸液装置のための動力伝達装置であって、上記送りねじとモータ出力軸とを同軸状に連結せしめる連結具と、この連結具の上記モータ出力軸側の端面に形成した切り溝と、この切り溝内に嵌入するよう上記モータ出力軸の外周面から半径方向外方に突出せしめた軸と、上記連結具の、上記送りねじ側の端面に形成したカム面と、このカム面に対接されるよう上記送りねじの外周面から半径方向外方に突出せしめた軸と、上記カム面を上記送りねじから突出する軸に係合するよう抑制する弾性手段とより成り、上記カム面が、上記送りねじから突出する軸が嵌入する凹部と、この凹部の逆回転方向側面によって上記連結具に形成される正回転伝達用垂直面と、上記凹部の底面から上記連結具の端面に向って正回転方向に延びる傾斜面とより成ることを特徴とする輸液装置における動力伝達装置。
【発明の詳細な説明】
【技術分野】
【０００１】
本発明は輸液装置における動力伝達装置、特に注射器の押し子をモータにより直接駆動する輸液装置における動力伝達装置に関するものである。
【背景技術】
【０００２】
モータの回転により駆動されるボールネジ（送りねじ）によって注射器の押し子を押して薬液、血液等を人体に注入する輸液装置は例えば特許文献１に示されている。
【特許文献１】特開平１０−１９２３９８号公報
【０００３】
図５及び図６はこのような従来の輸液装置を示し、１は注射器、２は上記注射器１を載置するためのベース、３はピストン、４は押し子、５はモータ、６はモータ出力軸、７はボールネジである。
【発明の開示】
【発明が解決しようとする課題】
【０００４】
然しながら上記従来の輸液装置における動力伝達装置では、注射器１のピストン３を押す押し子４を駆動するボールネジ７に、モータ５にて発生した動力をボールネジ７とは同軸状でない、歯車を用いた動力伝達機構８を介して伝達している。このため、動力伝達機構８が大型化し、取付に際して大きなスペースを必要としていた。
【０００５】
また、注射器１を用いて薬液を注入する医療装置の押し子４にピストン３を引く動作が発生して薬液の逆流を起こすことを防ぐ逆転防止用のワンウェイクラッチ９を、動力伝達機構８に取り付ける必要があった。このため、動力伝達には必要の無いワンウェイクラッチ９等の部品を、動力伝達部に取り付けなければならなかった。
【０００６】
本発明は上記の欠点を除くようにしたものである。
【課題を解決するための手段】
【０００７】
本発明の輸液装置における動力伝達装置は、モータで駆動される送りねじにより押し子を押圧し液体を送出する輸液装置のための動力伝達装置であって、上記送りねじとモータ出力軸とを同軸状に連結せしめる連結具と、この連結具の上記モータ出力軸側の端面に形成したカム面と、このカム面に対接されるよう上記モータ出力軸の外周面から半径方向外方に突出せしめた軸と、上記連結具の、上記送りねじ側の端面に形成した軸方向に延びる切り溝と、この切り溝内に嵌入するよう上記送りねじの外周面から半径方向外方に突出せしめた軸と、上記カム面を上記モータ出力軸から突出する軸に係合するよう抑制する弾性手段とより成り、上記カム面が、上記モータ出力軸から突出する軸が嵌入する凹部と、この凹部の正回転方向側面によって上記連結具に形成される正回転伝達用垂直面と、上記凹部の底面から上記連結具の端面に向って逆回転方向に延びる傾斜面とより成ることを特徴とする。
【０００８】
また、本発明の輸液装置における動力伝達装置は、モータで駆動される送りねじにより押し子を押圧し液体を送出する輸液装置のための動力伝達装置であって、上記送りねじとモータ出力軸とを同軸状に連結せしめる連結具と、この連結具の上記モータ出力軸側の端面に形成した切り溝と、この切り溝内に嵌入するよう上記モータ出力軸の外周面から半径方向外方に突出せしめた軸と、上記連結具の、上記送りねじ側の端面に形成したカム面と、このカム面に対接されるよう上記送りねじの外周面から半径方向外方に突出せしめた軸と、上記カム面を上記送りねじから突出する軸に係合するよう抑制する弾性手段とより成り、上記カム面が、上記送りねじから突出する軸が嵌入する凹部と、この凹部の逆回転方向側面によって上記連結具に形成される正回転伝達用垂直面と、上記凹部の底面から上記連結具の端面に向って正回転方向に延びる傾斜面とより成ることを特徴とする。
【発明の効果】
【０００９】
本発明の輸液装置における動力伝達装置によれば、極めて簡単な構成によりモータの動力を押し子に伝達でき、また、輸液の逆流を未然に防ぐことができるようになる。
【発明を実施するための最良の形態】
【００１０】
以下図面によって本発明の実施例を説明する。
【実施例１】
【００１１】
本発明は図１〜図４に示すように注射器１のピストン３を押し子４にはめ込み、押し子４をモータ５の回転動力で駆動するボールネジ７により、図１の右側に動かし、ピストン３を押すことにより、注射器１内の薬液を押し出すようにした輸液装置において、モータ５の出力軸６とボールネジ７を動力伝達具１０により同軸状に接続する。この動力伝達具１０は、出力軸６とボールネジ７の外周面から夫々半径方向外方に突設した短軸１１，１２と、上記出力軸６とボールネジ７の遊端を夫々嵌入せしめた連結具、例えば筒状体１３と、この筒状体１３の、上記出力軸６側の端面１３ａに形成したカム面１４と、上記筒状体１３の外周面に、上記ボールネジ７側の端面１３ｂから軸方向に延びるように形成した切り溝１５と、この切り溝１５の底面と、上記ボールネジ７に突設した短軸１２間において上記切り溝１５内に配置した、上記筒状体１３を常時上記ボールネジ７に相対的に上記出力軸６側に抑制する圧縮スプリング１６とにより構成し、上記出力軸６に突設した短軸１１の側面を上記カム面１４に対接せしめ、上記ボールネジ７に突設した短軸１２を上記切り溝１５内に軸方向に摺動自在に嵌入せしめる。
【００１２】
上記カム面１４は、上記出力軸６側における上記筒状体１３の端面１３ａから軸方向に延びる、常時上記出力軸６に突設した短軸１１が嵌入される凹部１７と、この凹部１７の底面１８の一側から上記筒状体１３の端面１３ａに向って図４において反時計方向に略半周に亘り延びる傾斜筒状面１９と、上記凹部１７によって上記筒状体１３の時計方向回転側に形成される正回転伝達用垂直面とにより構成する。
【００１３】
本発明の輸液装置における動力伝達装置は上記のような構成であるから図２〜図４において正回転方向（図２〜図４において時計方向）２１にモータ５の出力軸６が回転すると、モータ５の出力軸６に取り付けてある短軸１１により、正回転伝達用垂直面２０が押されて上記筒状体１３が回転し、さらにボールネジ７に突設されている短軸１１を介してボールネジ７が回転し、押し子４を図１の右側に動かし、注射器１のピストン３を押すことにより、注射器１内の薬液を押し出す。
【００１４】
正回転方向２１と反対方向にモータ５の出力軸６が回転すると、モータ５の出力軸６に取り付けてある短軸１１が筒状体１３のカム面１４に形成されている傾斜端面１９上を滑る事により、筒状体１３のカム面１４から外れ逆回転は筒状体１３従ってボールネジ７に伝わらない。また、モータ５の出力軸６に取り付けてある短軸１１がカム面１４の凹部１７の位置まで回転すると、圧縮スプリング１６の力により、筒状体１３はモータ５の出力軸６側に押し戻され短軸１１が凹部１７内に入るが、その後は再び傾斜端面１９上を滑るようになる。
【００１５】
なお、カム面１４を筒状体１３の端面１３ｂに形成し、切り溝１５を筒状体１３の端面１３ａ側に設けても良い。
【図面の簡単な説明】
【００１６】
【図１】本発明を適用した輸液装置の斜視図である。
【図２】図１に示す輸液装置の底面から見た斜視図である。
【図３】本発明の輸液装置における動力伝達装置の正面図である。
【図４】図３に示す装置の一部の拡大斜視図である。
【図５】従来の輸液装置の斜視図である。
【図６】従来の輸液装置の斜視図である。
【符号の説明】
【００１７】
１    注射器
２    ベース
３    ピストン
４    押し子
５    モータ
６    出力軸
７    ボールネジ
８    動力伝達機構
９    ワンウェイクラッチ
１０    動力伝達具
１１    短軸
１２    短軸
１３    筒状体
１３ａ  端面
１３ｂ  端面
１４    カム面
１５    切り溝
１６    圧縮スプリング
１７    凹部
１８    底面
１９    傾斜筒状面
２０    正回転伝達用垂直面
２１    正回転方向
【図１】
0004448830.tif 000002
【図２】
0004448830.tif 000003
【図３】
0004448830.tif 000004
【図４】
0004448830.tif 000005
【図５】
0004448830.tif 000006
【図６】
0004448830.tif 000007